(57)【要約】【課題】  合紙挿入モードにおける合紙の挿入位置の設定を容易に行うことができ、操作性の向上を図ることができる画像形成装置を提供する。【解決手段】  画像形成装置１は、単一又は複数の原稿からなるグループを複数含む一連の原稿の画像データが入力された際に画像データに基づく画像を形成された用紙同士の間に合紙を挿入自在な表紙／合紙挿入モードを備えている。画像形成装置１では、一連の原稿の画像データに対して、表紙／合紙挿入モードを選択するために表紙／合紙挿入モードボタン８３を１回のみ押下する。制御部１０は、グループ毎に複数回に分割して入力された一連の原稿の画像データの分割位置を合紙の挿入位置として記憶し、画像データに基づく画像を用紙に形成するとともに挿入位置に合紙を挿入する。【選択図】  図１
2006091085.tif 000002
【特許請求の範囲】
【請求項１】
複数枚の原稿の画像データを連続して入力自在な画像入力部と、
前記画像入力部から入力された画像データに基づいて記録媒体に画像を形成する制御部と、を備え、
前記制御部は、複数枚の原稿の画像データのそれぞれに基づく画像が形成された複数枚の記録媒体における所定の挿入位置に合紙を挿入する合紙挿入モードの選択に係る単一の選択情報が入力された後に前記画像入力部から複数回に分割して入力された複数枚の原稿の画像データの分割位置を前記挿入位置として記憶することを特徴とする画像形成装置。
【請求項２】
前記制御部は、複数枚の原稿の画像データのそれぞれに基づく画像が形成された複数枚の記録媒体における所定の挿入位置に合紙を挿入する合紙挿入モードの選択に係る単一の選択情報が入力された際に、複数枚の原稿の画像データを前記挿入位置で分割して入力すべき旨を表示することを特徴とする請求項１に記載の画像形成装置。
【請求項３】
前記画像入力部は、前記原稿を走査して画像データとして読み取ることを特徴とする請求項１または２に記載の画像形成装置。
【請求項４】
前記画像入力部は、外部からの画像データの入力を受け入れることを特徴とする請求項１または２に記載の画像形成装置。
【請求項５】
複数枚の原稿の画像データのそれぞれに基づく画像が形成された複数枚の記録媒体における所定の挿入位置に合紙を挿入する合紙挿入モードの選択に係る単一の選択情報が入力された後に前記画像入力部から複数回に分割して入力された複数枚の原稿の画像データの分割位置を前記挿入位置として記憶し、前記画像データに基づく画像をそれぞれ記録媒体に形成するとともに前記挿入位置に合紙を挿入することを特徴とする画像形成方法。
【発明の詳細な説明】
【技術分野】
【０００１】
この発明は、連続して入力処理された複数の原稿データに基づいて画像を形成する画像形成装置および画像形成方法に関する。
【背景技術】
【０００２】
近年、一連の原稿の画像データを入力し、入力した画像データに基づいて記録媒体に画像を形成する際に、画像を形成した記録媒体の任意のページ位置に、通常の記録媒体とは異なるシート体である合紙（色紙等）を挿入する合紙挿入モードを有する画像形成装置が開発されている。従来の合紙挿入モードでは、一連の原稿のどのページ位置に合紙を挿入させるかを、原稿の画像データの入力前に設定する必要があった。
【０００３】
これに対して、一連の原稿を複数回に分割して読み取り可能な連続読み込みモードの中間状態において、その時点の原稿のページ位置が合紙の挿入位置であることの設定およびその他の印刷条件の設定を入力するようにした画像入出力装置が提案されている（例えば、特許文献１参照。）。
【特許文献１】特開２００４−４８６５９公報
【発明の開示】
【発明が解決しようとする課題】
【０００４】
しかし、上述の特許文献１の技術は、合紙を挿入しようとするページ位置すなわち原稿の読み取りの分割位置毎に、その時点の原稿のページ位置が合紙の挿入位置であることを記憶させるための入力操作を必要とする。また、分割位置毎にその他の印刷条件の入力操作をする必要もある。したがって、特許文献１の技術では、操作の煩雑性が十分解消されていない。
【０００５】
この発明の目的は、合紙挿入モードにおける合紙の挿入位置の設定を容易に行うことができ、操作性の向上を図ることができる画像形成装置を提供することにある。
【課題を解決するための手段】
【０００６】
この発明の画像形成装置は、上述の課題を解決するために以下のように構成される。
【０００７】
（１）複数枚の原稿の画像データを連続して入力自在な画像入力部と、前記画像入力部から入力された画像データに基づいて記録媒体に画像を形成する制御部と、を備え、前記制御部は、複数枚の原稿の画像データのそれぞれに基づく画像が形成された複数枚の記録媒体における所定の挿入位置に合紙を挿入する合紙挿入モードの選択に係る単一の選択情報が入力された後に前記画像入力部から複数回に分割して入力された複数枚の原稿の画像データの分割位置を前記挿入位置として記憶することを特徴とする。
【０００８】
この構成においては、合紙挿入モードを選択するために、一まとまりの複数枚の原稿の画像データに対して単一の選択情報が入力される。合紙挿入モードでは、ユーザが一まとまりの原稿の画像データを複数回に分割して入力すると、その分割位置が合紙の挿入位置として記憶される。そして、入力された一まとまりの原稿の画像データに基づいて記録媒体に画像を形成する際に、記憶された挿入位置に合紙が挿入される。
【０００９】
（２）前記制御部は、複数枚の原稿の画像データのそれぞれに基づく画像が形成された複数枚の記録媒体における所定の挿入位置に合紙を挿入する合紙挿入モードの選択に係る単一の選択情報が入力された際に、複数枚の原稿の画像データを前記挿入位置で分割して入力すべき旨を表示することを特徴とする。
【００１０】
この構成においては、合紙挿入モードにおいて合紙の挿入位置を記憶させるための操作方法が、合紙挿入モードの選択に係る単一の選択情報が入力された際に表示される。ユーザが、表示された操作方法の指示に従って、一まとまりの複数枚の原稿の画像データを複数に分割して入力することで、分割位置が合紙の挿入位置として記憶される。
【００１１】
（３）前記画像入力部は、前記原稿を走査して画像データとして読み取ることを特徴とする。
【００１２】
この構成においては、合紙挿入モードにおいて、原稿を走査して画像データとして読み取る画像読取処理が、合紙を挿入しようとする位置で分割されたグループ毎に行われる。  （４）前記画像入力部は、外部からの画像データの入力を受け入れることを特徴とする。
【００１３】
この構成においては、外部からの画像データの入力が、合紙を挿入しようとする位置で分割されたグループの画像データ毎に行われる。
【００１４】
この発明の画像形成方法は、上述の課題を解決するために以下のように構成される。
【００１５】
（５）複数枚の原稿の画像データのそれぞれに基づく画像が形成された複数枚の記録媒体における所定の挿入位置に合紙を挿入する合紙挿入モードの選択に係る単一の選択情報が入力された後に前記画像入力部から複数回に分割して入力された複数枚の原稿の画像データの分割位置を前記挿入位置として記憶し、前記画像データに基づく画像をそれぞれ記録媒体に形成するとともに前記挿入位置に合紙を挿入することを特徴とする。
【００１６】
この構成においては、合紙挿入モードを選択するために、一まとまりの複数枚の原稿の画像データに対して単一の選択情報が入力される。合紙挿入モードでは、ユーザが一まとまりの原稿の画像データを複数回に分割して入力すると、その分割位置が合紙の挿入位置として記憶される。そして、入力された一まとまりの原稿の画像データに基づいて記録媒体に画像を形成する際に、記憶された挿入位置に合紙が挿入される。
【発明の効果】
【００１７】
この発明によれば、以下の効果を奏することができる。
【００１８】
（１）合紙挿入モードにおいて、一まとまりの原稿の画像データを、合紙を挿入しようとする位置で分割して入力することで、分割位置を挿入位置として記憶し、挿入位置に合紙を挿入することができる。したがって、合紙挿入モードにおいて合紙の挿入位置の設定を容易に行うことができ、作業性の向上を図ることができる。
【００１９】
（２）合紙挿入モードにおいて合紙の挿入位置を記憶させるための操作方法を画像データの入力前に表示することで、ユーザに操作方法を確実かつ正確に認識させることができ、いっそう操作性の向上を図ることができる。
【００２０】
（３）原稿を走査して画像データとして読み取る画像読取処理を、合紙を挿入しようとする位置で分割して複数回行うことで、分割位置を合紙の挿入位置として記憶させることができる。
【００２１】
（４）外部からの画像データの入力を、合紙を挿入しようとする位置で分割して複数回行うことで、分割位置を合紙の挿入位置として記憶させることができる。
【発明を実施するための最良の形態】
【００２２】
以下に、この発明の実施形態について図面に基づいて説明する。図１は、この発明の実施形態に係る画像形成装置の概略の構成を示すブロック図である。この実施形態に係る画像形成装置１は、複写機機能、プリンタ機能およびファクシミリ機能を有するディジタル複合機である。画像形成装置１は、制御部１０、自動原稿搬送部、画像読取部３０、画像形成部４０、給紙部、操作部６０、および外部Ｉ／Ｆ７０等を備えている。制御部１０には、自動原稿搬送部負荷機器２０、画像読取部３０のＣＣＤセンサ３１及び画像読取部負荷機器３２、画像形成部４０の現像部負荷機器４１、転写部負荷機器４２及び定着部負荷機器４３、給紙部負荷機器５０、操作部６０のスタートキー６１及びタッチパネル６２、外部Ｉ／Ｆ７０が接続されている。
【００２３】
制御部１０は、ＣＰＵ１１、画像形成装置１を動作させる所定のコンピュータプログラムを格納したＲＯＭ１２、揮発性メモリ等からなりＣＰＵ１１の作業領域となるＲＡＭ１３、および不揮発性メモリ又はハードディスク等からなり、入力された画像データを記憶する画像メモリ１４を含み、上述の各入出力機器を統括的に制御する。画像メモリ１４には、表表紙、裏表紙及び合紙にもコピーする場合に、それらにコピーするための画像が予め格納されている。
【００２４】
自動原稿搬送部負荷機器２０は、モータ及びクラッチ等を含む。自動原稿搬送部は、図示しない原稿トレイに載置された画像を読み取るべき所定枚数内の原稿を、画像読取部３０の所定の画像読取位置へ順次搬送する。画像読取部３０は、原稿を走査するために光源及び反射ミラーを変位させるモータ及びクラッチ等を含む画像読取部負荷機器３２、ならびに入射した光を光電変換して画像データとして読み取るＣＣＤセンサ３１を備えている。画像読取部３０は、原稿に光を照射し、原稿で反射された光をＣＣＤセンサ３１で読み取ることで画像データを取得する。自動原稿搬送部が複数の原稿を画像読取位置へ順次搬送し、画像読取部３０が搬送されてきた原稿の画像を順次読み取ることで、複数の原稿の画像データが連続して入力される。画像読取部３０で原稿の画像を読み取ることで画像データが入力された場合、画像読取部３０がこの発明の画像入力部となる。
【００２５】
画像形成部４０は、それぞれモータ及びクラッチ等を含む、現像部負荷機器４１、転写部負荷機器４２、定着部負荷機器４３を備えている。画像形成部４０は、電子写真方式の画像形成プロセスを経て、記録媒体の一例である用紙に画像データに基づく画像を形成する。給紙部負荷機器５０は、モータ及びクラッチ等を含む。給紙部は、複数の用紙を収納し、画像形成部４０へ順次用紙を搬送する。
【００２６】
操作部６０は、スタートキー６１及びタッチパネル６２を備える。タッチパネル６２は、各種の設定条件の入力を受け付けるとともに、各種の設定条件及びメッセージ等を表示する。
【００２７】
外部Ｉ／Ｆ７０は、外部装置であるパソコン等で作成された画像データ、ファクシミリ装置から送信されてきた画像データの入力を受け入れる。なお、この発明において画像データとは、図形及び文字等を含む画像の画像データ、およびワープロソフトで作成された文書データ等を含む意味である。外部Ｉ／Ｆ７０から画像データが入力された場合、外部Ｉ／Ｆ７０がこの発明の画像入力部となる。
【００２８】
図２（ａ）は、原稿の画像をグループ毎に分割して読み取るべきことを示す説明図であり、図２（ｂ）は合紙等を挿入した状態を示す説明図である。画像形成装置１では、コピーしようとする一連の原稿（一まとまりの原稿）を、合紙を挿入しようとするページ位置で分割された複数のグループに分け、グループ毎に原稿トレイに載置して画像を読み取る。原稿の１つのグループには、単一又は複数の原稿が含まれる。上述のように原稿をグループ毎に分割して読み取ることによって、画像データを読み込む画像読み込み処理及び用紙に画像を形成するプリント処理の後に、図２（ｂ）に示すように、分割位置に合紙を挿入し、設定条件に応じて表表紙及び裏表紙を挿入した用紙を得ることができる。
【００２９】
図３〜図５は、制御部１０の処理手順の一部を示すフローチャートである。また、図６〜図１５は、画像形成装置１のタッチパネル６２の画面を示す説明図である。図６に示すように、タッチパネル６２は、初期画面において、特別機能ボタン８１、両面コピーボタン、仕上げボタン、ファイリングボタン、自動一時保存ボタン等、各種のモードボタンを備え、各モードボタンが押下された場合に、それぞれのモードの詳細な設定画面を表示する。
【００３０】
制御部１０のＣＰＵ１１は、図６に示す初期画面において特別機能ボタン８１が押下されると、図７に示すように、特別機能モードにおける各機能の選択画面を表示する。特別機能モードは、各機能の選択画面を３ページ分有する。ＣＰＵ１１は、スクロールキー８２が押下されると、図８に示すような特別機能モードの２ページ目の選択画面を表示する。特別機能モードの２ページ目の選択画面は、表紙／合紙挿入モードボタン８３を有する。ＣＰＵ１１は、表紙／合紙挿入モードボタン８３の押下を待機する（Ｓ１）。ＣＰＵ１１は、表紙／合紙挿入モードボタン８３が押下された場合、表紙／合紙挿入モードを選択する選択情報が入力されたものと認識して、表紙／合紙挿入モードを設定する。表紙／合紙挿入モードは、この発明の合紙挿入モードに相当する。
【００３１】
なお、図示していないが、ＣＰＵ１は、表紙／合紙挿入モードを設定した際に、一連の原稿の画像データを、合紙を挿入しようとする位置で分割されたグループ毎に入力すべき旨をタッチパネル６２に表示する。
【００３２】
ＣＰＵ１１は、表紙／合紙挿入モードを設定した場合、まず、図９に示す表表紙設定画面を表示する（Ｓ２）。そして、ＣＰＵ１１は、表表紙を挿入するか否か、及び、表表紙へ所定の画像をコピーするか否かの設定がなされた後、ＯＫボタン８４ａが押下されたか否かを判定し（Ｓ３）、ＯＫボタン８４ａが押下されず、キャンセルボタン８５ａが押下された場合、表紙／合紙挿入モードを解除して（Ｓ４、Ｓ５）、図６に示す所期画面を表示する。また、ＣＰＵ１１は、ＯＫボタン８４ａ及びキャンセルボタン８５ａの両方が押下されない場合は、いずれかのボタンが押下されるまで待機する。
【００３３】
ＣＰＵ１１は、ＯＫボタン８４ａが押下された場合、次に、図１０に示す裏表紙設定画面を表示する（Ｓ６）。そして、ＣＰＵ１１は、裏表紙を挿入するか否か、及び、裏表紙へ所定の画像をコピーするか否かの設定がなされた後、ＯＫボタン８４ｂが押下されたか否かを判定し（Ｓ７）、ＯＫボタン８４ｂが押下されず、キャンセルボタン８５ｂが押下された場合、表紙／合紙挿入モードを解除して（Ｓ８、Ｓ９）、図６に示す所期画面を表示する。また、ＣＰＵ１１は、ＯＫボタン８４ｂ及びキャンセルボタン８５ｂの両方が押下されない場合は、いずれかのボタンが押下されるまで待機する。
【００３４】
ＣＰＵ１１は、ＯＫボタン８４ｂが押下された場合、さらに、図１１に示す合紙設定画面を表示する（Ｓ１０）。そして、ＣＰＵ１１は、合紙へ所定の画像をコピーするか否かの設定がなされた後、ＯＫボタン８４ｃが押下されたか否かを判定し（Ｓ１１）、ＯＫボタン８４ｃが押下されず、キャンセルボタン８５ｃが押下された場合、表紙／合紙挿入モードを解除して（Ｓ１２、Ｓ１３）、図６に示す所期画面を表示する。また、ＣＰＵ１１は、ＯＫボタン８４ｃ及びキャンセルボタン８５ｃの両方が押下されない場合は、いずれかのボタンが押下されるまで待機する。
【００３５】
ＣＰＵ１１は、ＯＫボタン８４ｃが押下された場合、図１２に示すように、初期画面に、表紙／合紙挿入モードが設定されていることを示す表紙／合紙アイコン８６を表示する（Ｓ１４）。そして、ＣＰＵ１１は、原稿が原稿トレイに載置されることを待機する（Ｓ１５）。ＣＰＵ１１は、原稿が原稿トレイに載置された場合、図１３に示すように、原稿トレイに載置された原稿のサイズを検出して、検出した原稿のサイズを原稿サイズアイコン８８として表示するとともに、原稿を画像読取位置へ給紙可能になったことを示す原稿給紙アイコン８７を表示する。
【００３６】
ＣＰＵ１１は、両面コピーをするか否か及び仕上げ処理をどうするか等の他の印刷条件の設定が完了し、スタートキー６１が押下されることを待機し（Ｓ１６、Ｓ１７）、スタートキー６１が押下された場合、原稿の給紙を開始して（Ｓ１８）、図１４に示すように、「原稿を読み込み中です。」というメッセージを表示するとともに、１グループ目の原稿の画像を読み込み中であることを示すグループアイコン８９を表示する。
【００３７】
そして、ＣＰＵ１１は、給紙された原稿に対して順次、画像読み込み処理を行い（Ｓ１９）、次に画像読み込み処理を行うべき原稿があるか否かを判定し（Ｓ２０）、次に画像読み込み処理を行うべき原稿がある場合はＳ１８に戻って、次の原稿を画像読取位置へ給紙する。ＣＰＵ１１は、原稿トレイに載置された１つのグループの原稿の画像読み込み処理を終えて、次に画像読み込み処理を行うべき原稿がない場合、そのページ位置を合紙挿入位置としてＲＡＭ１３に記憶する（Ｓ２１）。
【００３８】
ＣＰＵ１１は、図１５に示すように、次のグループの原稿を原稿トレイに載置するように要求する旨のメッセージを表示し（Ｓ２２）、読み込み終了ボタン９０の押下を待機する（Ｓ２３）。読み込み終了ボタン９０が押下されず、次のグループの原稿が原稿トレイに載置されて、スタートキー６１が押下された場合、Ｓ１８の処理に戻って、次のグループの原稿の画像読み込み処理を開始する。
【００３９】
上述のようにして、ＣＰＵ１１は、一連の原稿を複数のグループに分割した分割位置を、合紙の挿入位置として記憶しながら、グループ毎に画像読み込み処理を行う。そして、ＣＰＵ１１は、一連の原稿の画像読み込み処理がすべて完了して、読み込み終了ボタン９０が押下された場合、原稿を読み取って得た画像データに基づく画像を用紙に形成するプリント処理を開始する（Ｓ２６）。
【００４０】
図５は、プリント処理における処理手順の概要を示すフローチャートである。ＣＰＵ１１は、図９に示す表表紙設定画面において表表紙を挿入するように設定されたか否かを判定し（Ｓ３１）、表表紙を挿入するように設定されていると判定した場合、通常の用紙の給紙カセットとは別の給紙カセットから表表紙を給紙する（Ｓ３２）。表表紙、合紙および裏表紙として、通常の画像を形成するための用紙と容易に識別可能なように、例えば色の異なる用紙が用いられる。表表紙、合紙および裏表紙用の用紙は、同じ給紙カセットに収納された同じ用紙であってもよく、又は、それぞれ異なる給紙カセットに収納された異なる用紙であってもよい。
【００４１】
ＣＰＵ１１はさらに、図９に示す表表紙設定画面において表表紙にコピーをするように設定されたか否かを判定し（Ｓ３３）、表表紙にコピーをするように設定されている場合、表表紙へ所定の画像を形成した後（Ｓ３４）、表表紙を図示しない排紙トレイへ排紙し（Ｓ３５）、Ｓ３６の処理へ進む。ＣＰＵ１１は、Ｓ３３において、表表紙へはコピーしないように設定されていると判定した場合、表表紙へ画像を形成することなく、表表紙を排紙する。また、ＣＰＵ１１は、Ｓ３１において、表表紙を挿入しないように設定されていると判定した場合、Ｓ３２〜Ｓ３５の処理をすることなく、Ｓ３６の処理へ進む。
【００４２】
ＣＰＵ１１は、合紙の挿入位置であるか否かを判定し（Ｓ３６）、合紙の挿入位置でない場合は、用紙を給紙して（Ｓ３７）、用紙へ画像データに基づく画像を形成し（Ｓ３８）、用紙を排紙トレイへ排紙する（Ｓ３９）。そして、ＣＰＵ１１は、次の画像データがあるか否かを判定して（Ｓ４０）、次の画像データがある場合はＳ３６の処理に戻る。
【００４３】
ＣＰＵ１１は、上述のようにしてＳ３６〜Ｓ４０の処理を繰り返して、１つのグループの原稿の画像データについてのプリント処理が終了し、合紙の挿入位置になった場合、合紙用の給紙カセットから合紙を給紙する（Ｓ４１）。そして、ＣＰＵ１１は、図１１に示す合紙設定画面において合紙へコピーするように設定されたか否かを判定し（Ｓ４２）、合紙へコピーするように設定されていると判定した場合は、合紙へ所定の画像を形成して（Ｓ４３）、合紙を排紙トレイへ排紙し（Ｓ４４）、Ｓ３６の処理へ戻る。そして、ＣＰＵ１１は、Ｓ３６〜Ｓ４４の処理を繰り返して、他のグループの原稿の画像データについてのプリント処理を行う。
【００４４】
ＣＰＵ１１は、一連の原稿の画像データについてのプリント処理を終了し、Ｓ４０において、次の画像データがないと判定した場合、図１０に示す裏表紙設定画面において裏表紙を挿入するように設定されたか否かを判定する（Ｓ４５）。ＣＰＵ１１は、裏表紙を挿入するように設定されている場合、裏表紙用の給紙カセットから裏表紙を給紙する（Ｓ４６）。ＣＰＵ１１はさらに、図９に示す裏表紙設定画面において裏表紙にコピーをするように設定されたか否かを判定し（Ｓ４７）、裏表紙にコピーをするように設定されていると判定した場合、裏表紙へ所定の画像を形成した後（Ｓ４８）、裏表紙を排紙トレイへ排紙して（Ｓ４９）、プリント処理を終了する。ＣＰＵ１１は、Ｓ３４７おいて、裏表紙へはコピーしないように設定されていると判定した場合、裏表紙へ画像を形成することなく、裏表紙を排紙トレイへ排紙する。また、ＣＰＵ１１は、Ｓ４５において、裏表紙を挿入しないように設定されていると判定した場合、Ｓ４６〜Ｓ４９の処理をすることなく、プリント処理を終了する。
【００４５】
画像形成装置１によれば、一連の原稿の画像データを、合紙を挿入しようとする位置で分割したグループの原稿の画像データ毎に入力することで、分割位置を合紙の挿入位置として記憶し、所望の挿入位置に合紙を挿入することができる。また、１つの一連の原稿の画像データに対して、表紙／合紙挿入モードを設定する操作は、１回のみ必要とされる。したがって、合紙挿入モードにおいて合紙の挿入位置の設定を容易に行うことができ、作業性の向上を図ることができる。
【００４６】
また、表紙／合紙挿入モードにおいて合紙の挿入位置を記憶させるための操作方法を一連の画像データの入力前に表示することで、ユーザに操作方法を確実かつ正確に認識させることができ、いっそう操作性の向上を図ることができる。
【００４７】
なお、上述の実施形態では、画像読取部３０で原稿の画像を走査することで画像データを入力したが、これに限定されず、パソコン等の外部装置から出力された画像データを外部Ｉ／Ｆ７０から入力する場合にも、この発明を適用することができる。この場合、例えば、外部装置であるパソコンの画面上で、表紙／合紙挿入モードを設定するとよい。この場合も、１つの一連の画像データに対して、表紙／合紙挿入モードを設定する操作は、１回のみ必要とされる。そして、一連の画像データを、合紙を挿入しようとするページ位置で分割したグループ毎に、画像形成装置１へ送信する。
【００４８】
例えば、２０頁の文書データのうち、５頁と６頁との間、及び、１０頁と１１頁との間に、合紙を挿入したい場合、１頁〜５頁、６頁〜１０頁、１１頁〜２０頁、のグループに分割して、グループ毎に画像形成装置１へ送信するとよい。
【００４９】
画像形成装置１は、この場合も上述の実施形態の場合と同様に、画像データ（文書データ）の分割位置を合紙の挿入位置として記憶し、分割位置に合紙を挿入しながら、画像データに基づくプリント処理を行う。この場合も、合紙挿入モードにおいて合紙の挿入位置の設定を容易に行うことができ、作業性の向上を図ることができる。
【図面の簡単な説明】
【００５０】
【図１】この発明の実施形態に係る画像形成装置の概略の構成を示すブロック図である。
【図２】（ａ）は原稿の画像をグループ毎に分割して読み取ることを示す説明図であり、（ｂ）は合紙等を挿入した状態を示す説明図である。
【図３】制御部の処理手順の一部を示すフローチャートである。
【図４】制御部の処理手順の一部を示すフローチャートである。
【図５】制御部の処理手順の一部を示すフローチャートである。
【図６】前記画像形成装置のタッチパネルの画面を示す説明図である。
【図７】前記画像形成装置のタッチパネルの画面を示す説明図である。
【図８】前記画像形成装置のタッチパネルの画面を示す説明図である。
【図９】前記画像形成装置のタッチパネルの画面を示す説明図である。
【図１０】前記画像形成装置のタッチパネルの画面を示す説明図である。
【図１１】前記画像形成装置のタッチパネルの画面を示す説明図である。
【図１２】前記画像形成装置のタッチパネルの画面を示す説明図である。
【図１３】前記画像形成装置のタッチパネルの画面を示す説明図である。
【図１４】前記画像形成装置のタッチパネルの画面を示す説明図である。
【図１５】前記画像形成装置のタッチパネルの画面を示す説明図である。
【符号の説明】
【００５１】
１  画像形成装置
１０  制御部
１１  ＣＰＵ
３０  画像形成部（画像入力部）
４０  画像形成部
６０  操作部
６１  スタートキー
６２  タッチパネル
７０  外部Ｉ／Ｆ（画像入力部）
【図１】
2006091085.tif 000003
【図２】
2006091085.tif 000004
【図３】
2006091085.tif 000005
【図４】
2006091085.tif 000006
【図５】
2006091085.tif 000007
【図６】
2006091085.tif 000008
【図７】
2006091085.tif 000009
【図８】
2006091085.tif 000010
【図９】
2006091085.tif 000011
【図１０】
2006091085.tif 000012
【図１１】
2006091085.tif 000013
【図１２】
2006091085.tif 000014
【図１３】
2006091085.tif 000015
【図１４】
2006091085.tif 000016
【図１５】
2006091085.tif 000017